(57)【要約】　　　（修正有）【課題】枠組壁工法による構造体の屋内湿度を管理調整することで、構造材として使用する木材や建築物の耐久性を向上させるとともに、健康で良好な生活空間としての住環境の提供をする。【解決手段】枠組壁工法によって建築された通気断熱構造建築物の床、壁、屋根の各構面内部に設けた通気層５，６，７と、各製材にあけた通気穴を連通させた通気構造を形成し、屋内空間ならびに各構面内部で発生した余分な湿気を、温度差によって生じる自然通気により、棟合せ梁通気口４９から自然排出することを特徴とする建築物の通気恒湿構造を設ける。また、各製材にあけた穴に、防火ダンパー機能を持たせた通気口金具２，３を使用することで、通気穴による防火、耐火性能の低下を補足する。【選択図】　　　　　図１
2004011281.tif 000002
【特許請求の範囲】
【請求項１】
枠組壁工法によって建築された通気断熱構造建築物の内部に、床構面内部通気層５、壁構面内部通気層６、屋根構面内部通気層７を設け、上枠１３、下枠１１、頭つなぎ１４、振れ止め１２、根太３１、根太補強材３３等の各枠材にあけた通気穴、および床下換気口１、棟合せ梁通気口４７と、前記構面内部の通気層とを連通させた通気構造を形成し、前述した各構面５、６、７の屋内側構造に、透湿性と耐火性および耐久性に優れた内壁材料１６と透湿性クロス貼り２８を使用することで、屋内空間ならびに各構面内部で発生した余分な湿気を前述した各構面内部の通気層５、６、７に自然誘導し、温度差によって生じる自然通気により棟合せ梁通気口４７から自然排出することで恒湿環境を得られることを特徴とする建築物の通気恒湿構造。
【請求項２】
外壁板１８と壁断熱材２７との間に請求項１で前述した通気構造とは独立させた通気層１５を設ける事で、この通気層１５に接した外壁材面および断熱材面から受けた余分な湿気を、外壁下に設けた空気取り入れ口２９から流入した外気の温度差により生じる自然通気により、軒裏換気口１９へと排出する事で恒湿環境を得られることを特徴とする請求項１記載の建築物の通気恒湿構造。
【請求項３】
本体に中空構造と防火ダンパー機能を持たせ、請求項１に前述した、上枠１３、下枠１１、頭つなぎ１４、振れ止め１２等の枠材において、地面に対して垂直方向にあけた通気穴に設置することで壁構面内部通気層６の通気性を保持し、また、これらの通気穴による防火、耐火性能の低下を補足し、かつ、火災発生時において壁構面内部通気層６を経由した構造体他所への炎や熱気、発生ガス等のまん延を防止、あるいは遅延させることを目的とした防火ダンパー機能付き通気口金物３。
【請求項４】
本体に中空構造と防火ダンパー機能を持たせ、前記の根太３１もしくは根太補強材３３等の枠材において、地面に対して水平方向にあけた通気穴に設置することで床構面内部通気層５の通気性を保持し、また、これらにあけた通気穴による防火、耐火性能の低下を補足し、かつ、火災発生時において床構面内部通気層５を経由した構造体他所への炎や熱気、発生ガス等のまん延を防止あるいは遅延させることを目的とした防火ダンパー機能付き通気口金物２。
【請求項５】
請求項３、もしくは請求項４に示した防火ダンパー機能付き通気口金具のうち、少なくとも一方を用いることを特徴とする請求項１記載の建築物の通気恒湿構造。
【請求項６】
屋内側に内気温センサー７１と屋内湿度センサー７２、屋外側に外気温センサー７３と雨センサー７４を設置し、それぞれのセンサーから得られた気象情報の値を自動計算する事で、室内に滞留する湿度を排出するため壁面部に設置した排気窓７８の自動開閉を調整する機能をもたせた、自動開閉調整式排気窓９を設けたことを特徴とする請求項１記載の建築物の通気恒湿構造。
【請求項７】
温度の確認による開閉の管理を行うために、温度計付きの床下換気口１を用いることを特徴とする請求項１記載の建築物の通気恒湿構造。
【発明の詳細な説明】
【０００１】
【発明が属する技術分野】
本発明は、枠組壁工法による通気断熱構造建造物における通気恒湿構造、及び、これを用いた際に生じる防火ならびに耐火能力の低下部分を補足するための構造改良に関するものである。
【０００２】
【従来の技術】
１９６０年代、日本国国内での経済の高度成長期がはじまった。これに伴い、日本国国内における大量の住宅需要が生じ、また、この住宅需要に応えるため様々な建築資材や建築工法が開発され、現在に至っている。現在普及している木造住宅建築工法は、軸組工法と枠組壁工法の２種類に大きく分けることができる。
【０００３】
木造日本家屋の在来工法は軸組工法と呼ばれる工法である。これは、柱や梁などの軸材を直角に組み合わせる事で強度を持たせ、建物の根本とする工法である。
【０００４】
枠組壁工法とは、２×４（ツーバイフォー）工法と呼称される構造体の建築工法である。これは、枠組製材によって組み立てられた枠に合板を貼り合わせ、外枠全体で建物を支える工法である。枠組壁工法は北米で最も多くの実績を持っている工法であり、わが国においても建設省告示第５６号により技術基準が定められている。建設省告示第５６号が定められてから約２０年が経過した２０００年１０月に内容が全面改訂され、告示第１５４０号、第１５４１号として２００２年５月に交付された。しかし、木構造の中のひとつとしての考え方という経緯は、建設省告示第５６号と同じように北米の技術基準を参考にして定められたものであり、その基本的な考え方は、ほとんど変わっていない。
【０００５】
軸組工法に関しては建築基準法施行令第４０条から第４９条に示されるように、そして、枠組壁工法に関しては建築基準法施行令第８０条の２および建築基準法に基づく主要な建設省告示第５６号に示されるように、両者は法令上区別されているものである。また、使用される建材に関しても、日本農林規格の枠組壁工法構造用製材規格（農林省告示第６００号他）等に示されるような区別がある。このように、木材製材を使用する住宅の建築工法とはいえ、両者の住宅工法の特性は全く違うものである。
【０００６】
特許２９８０８８３号で示されている通気断熱工法は、在来工法である軸組工法に関して考慮された工法である。しかし、前述したように、軸組工法と枠組壁工法は、その特性が違うものであるため、特許２９８０８８３号における通気断熱構造を枠組壁工法に応用するためには、課題や問題点があり、容易ではなかった。また、前期の発明は通気断熱を主眼においたものであるため、調湿、恒湿といった湿度調整に関して十分なものだとは言いがたい点があった。こうした点において、本発明は、特許２９８０８８３号における通気断熱構造とは別の発明である。また、本発明は枠組壁工法に特定した工法であり、このような限定領域としたことで、従来の枠組壁工法が内包していた問題点、特に調湿、恒湿に関する問題に関しての改善に特化したものである。
【０００７】
【発明が解決しようとする課題】
１９７０年代のオイルショック発生以後、省エネルギーの観点から、断熱材使用による居住環境の断熱保温対策が行われはじめた。更に今日では、地球規模のエネルギー問題対策、ならびに温暖化防止対策の観点から、より高度な断熱保温対策の必要性が叫ばれている。
【０００８】
わが国においては、１９６０年代の高度成長期の中から、快適な居住環境を得るための冷暖房装置としてエアコンが登場し、普及した。また、効率の良い屋内の冷暖房を行うためには構造体の気密性を向上させる事が不可欠であるため、ビニールクロス等の樹脂系壁材や合板といった内装材、あるいはアルミサッシが登場し普及してきた。これらの登場は共に住宅の気密性を高めることにつながっていった。
【０００９】
近年、断熱工法として普及しているものに高気密高断熱工法がある。この工法による高断熱高気密住宅では壁面や窓部分の断熱性および気密性を高めることで外気の侵入を防止し、換気設計によって住宅内の空気の流れを制御する方法がとられている。これは、住宅の断熱性、機密性を高める事によって屋外環境による屋内環境の影響を最小限に抑え、換気制御を行う事によって冷暖房に関する省エネルギー化を目的としたものである。
【００１０】
高気密高断熱工法による高断熱高気密住宅では、外壁側や屋内壁面の表面に合成樹脂製のシートを貼る事で、より気密性を高めることが行われている。しかし、こうしたシート貼りによる気密構成は、同時に壁面の呼吸も完全に遮断することになる。このため、壁面内部構造体の木材が内部で蒸れてしまい、木材の腐蝕による耐久性の劣化や内部結露によるカビ、ダニの発生原因となる。
【００１１】
高気密高断熱住宅は通気による自然換気がないため、そのままでは屋内空間に空気の淀みが生じてしまう。こうした屋内空間の空気の淀みを防ぐために、常時、換気ファンや空気循環ファンを稼動させる必要がある。しかし、これに付随するファン稼動音やフィルターのメンテナンス、稼動時の消費エネルギーから見たランニングコスト等、解決すべき様々な課題や問題を持っている。
【００１２】
一方、木造住宅の在来工法である軸組工法では、自然通気による換気性に優れている反面、暖房効率が低くなるため、冬場の屋内が寒いという問題がある。
【００１３】
こうした問題を解決すべく、たとえば、軸組工法における改良工法としては、通気断熱工法の特許がなされている（特許２９８０８８３号）。しかし、枠組壁工法と軸組工法とは構造上大きく性質が異なるため、前述した軸組工法の特許技術は、そのまま枠組壁工法に利用するためには、様々な課題や問題点が残されていた。
【００１４】
日本は、南北に細長い国土を持ち、北海道を除く地域には梅雨という雨期がある、高温多湿の温暖湿潤気候に属した国である。また、四季の移り変わりによって、年間を通じた大きな温度環境の変化がある。この温度環境の違いは、単に北海道、東北地方の都市と南九州や沖縄の都市との平均気温差が大きいというだけにとどまらない。同一地点での年間気温観測でも、地域や季節によっては、１日の気温差が１５℃以上、あるいは、年間の気温差が２０℃以上、また、前日との気温差が１０℃以上となる場合がある。これは、諸外国の都市や気候と比較してみても、大変特殊な気候条件の下にあると言える。このような気温変動が大きく、かつ、湿度が高い気候条件下で高気密住宅を建てた場合、結露は避ける事ができない問題である。
【００１５】
結露とは、構造体の室内と屋外の温度環境および屋内湿度の相互作用により、室内空気中の水蒸気が凝固して水滴となって壁や床、天井などに付着する現象である。結露は、その発生場所によって、内部結露、壁体内結露、小屋裏結露、床下結露などに区分される。
【００１６】
内部結露とは、屋内の壁や扉、ガラス窓等に発生する、目に見える結露であり、最も一般的な結露である。これは屋内居住空間に、様々なアレルギー症状の原因と言われているカビ、ダニの発生を高める。壁体内結露とは、壁材の内側に発生する結露である。小屋裏結露とは、天井裏や屋根裏に発生する結露である。床下結露とは、構造体床下基礎部分に発生する結露である。これらの結露は内部結露と違い、いずれも、通常の生活下においては目につく機会がないため、その発生を早期発見する事は困難である。
【００１７】
一般的に、住宅の寿命に関して持たれている概念は、数十年から１００年は持たせたい、というものである。実際、木材は、数十年から１００年といった非常に長い耐用年数を持っている。木材は、このような一般的な希望概念を満たすことが出来る大変優れた建築材である。しかし、西暦２０００（平成１２年）年６月、建設省は、日本における木造住宅の平均耐用年数は２６年程度だと発表した。このような耐用年数の格差が生じる大きな原因のひとつとして、昨今の住宅で発生する結露による耐久性の劣化があげられる。
【００１８】
結露、ならびに、結露を引き起こすような高湿度環境が及ぼす悪影響の例をあげてみたい。木材によって構成される床廻りの耐久性に大きな影響を与えるものには、腐朽菌による腐蝕と白アリ等による食害がある。腐朽菌による代表的な被害事例としては、１９８０年に北海道の公営住宅で発生したナミダタケ被害があげられる。ダニ、白アリ等の害虫や腐朽菌の繁殖は、いずれも気温１５℃以上、湿度８０％以上の状態が維持される事により活性化される。このように、床下の温度環境および湿度環境は、構造体の床廻りの耐久性に大きく影響する。また、室内に居住する人にとっても、カビやダニはアレルゲンとして健康を蝕む原因となる。さらに、結露を生じさせるような高湿度環境自体も、夏季の不快指数上昇を引き起こす原因となってしまう。すなわち結露は、構造体に対しても住む人間に対しても、大きな悪影響を与える原因となる。
【００１９】
床下の環境が構造体に与える影響を考え、床下換気口の設置が義務付けられている。床下換気においては、床下空気の経路を検討し、床下換気口を適正に配置する事で空気の流れの淀みを出来るだけ少なくする事が望ましい。しかし、必ずしも適切な設置がなされているとは限らない事が現状である。適切でない床下換気口の設置をされた構造物床下では、かえって空気が停滞し、温度や湿度が澱みをおこす場合もある。これでは十分に換気性能を発揮しているとはいえない。
【００２０】
また、家の中で生活する人が冬の寒さを受ける影響として、床下換気口から流入する季節風を忘れがちである。西日本では、地熱により、年間を総じて１３℃前後の地温が得られている状態にあると言われている。特に冬場では、基準に基づき設置された床下換気口が、こうした自然の恩恵を失わせている結果となっている。
【００２１】
現在、住宅建築の現場においては様々な建築工法が存在しており、温度環境に関しては、断熱工法として配慮が成されてきた。しかし、湿度環境、特に結露現象境に対しては、日本の気候特性上、ある程度は仕方がないものとして、必ずしも十分な対策がなされていなかった。
【００２２】
それでは、とりあえず湿気を取り去ってしまえば良いかというと、そうではない。過度に乾燥した空気の環境下では、かえって人間の皮膚や粘膜の保湿、および屋内調度品や什器等に悪影響を及ぼすことになる。また、冬場の適度な屋内湿度がインフルエンザウイルスの繁殖を抑える等、適度な湿度は良い効果をもたらしてくれる。こうした事からも、たんなる脱湿、防湿構造ではなく、調湿構造の必要性が考えられる。
【００２３】
本発明は、高温多湿気候である日本において、住む人間と構造体の双方に配慮し、健康に生活をおくるための居住環境を提供するものである。
【００２４】
【課題を解決するための手段】
本発明は、枠組壁工法によって建築された通気断熱構造建築物の各構面内部に通気層を設け、これらの通気層から成る通気構造を提供することで、上記課題を解決しようとするものである。
【００２５】
【発明の実施形態】
本発明の実施形態は、次のような通気構造を備えるものである。枠組壁工法によって建築された通気断熱構造建築物の床、壁、屋根の各構面内部に通気層５、６、７を設け、枠組を構成する上枠１３、下枠１１、頭つなぎ１４、振れ止め１２、根太３１、根太補強材３３の各枠材にあけた通気穴をあけ、床下換気口１、棟合せ梁通気口４７と前記構面内部の通気層とを連通させた通気構造を形成し、温度差によって生じる自然通気により、屋内空間ならびに各構面内部で発生した余分な湿気を自然排出することで恒湿環境を得られることを実現した。
【００２６】
【実施例】
図１は、枠組壁工法によって建築された通気断熱構造建築物に本発明の通気恒湿構造を適用した建築物の全体構成を示す断面図である。また、図２は、床下構造および１階壁面構造を示す断面の拡大図であり、図３は、２階壁面構造と２階天井部構造および屋根軒裏部分構造を示す断面の拡大図であり、図４は、屋根部分構造を示す断面の拡大図である。枠組壁工法によって建築された通気断熱構造建築物の床、壁、屋根の各構面内部に通気層５、６、７を設け、枠組を構成する上枠１３、下枠１１、頭つなぎ１４、振れ止め１２、根太３１、根太補強材３３の各枠材に通気穴をあける。前述の各構面内部の通気層と、前述の各枠にあけた通気穴、および、材床下換気口１、棟合せ梁通気口４７を連通させることで、床下から各構面を経て屋根構面まで至る一連の通気構造が形成される。また、前述した各構面の屋内側構造には透湿性、耐火性に優れた内壁材料１６と透湿性クロス貼り２８を使用し、屋内空間ならびに各構面内部で発生した余分な湿気を、前述した各構面内部の通気層５、６、７に自然誘導する。この内壁材料１６の選択にあたっては、透湿性、耐火性に加えて、耐久性や加工性、コストといった観点からも検討の必要がある。このような点を考慮した内壁材料の例として、ここでは石膏ボードをあげるが、同等以上の性能を持つ内壁材料で代替を行うことも可能である。各構面内部に発生した余分な湿気を含む空気は、床下換気口１から入った外気、および、温度差によって生じる自然通気により、屋根面の通気口４７から自然排出される。このような通気構造により、屋内の恒湿環境が得られる。
【００２７】
外壁板１８と壁断熱材２７との間に、請求項１で前述した通気構造とは独立させた通気層１５を設ける。これにより、通気層１５に接した外壁材面、および断熱材面から受けた余分な湿気を、外壁下に設けた空気取り入れ口２９から流入した外気の温度差によって生じる自然通気により、軒裏換気口１９へと排出する事で、壁構面内部、特に、断熱材と外壁材の間の余分な湿気を排出し、壁体内結露を予防することが可能となる。
【００２８】
枠組壁工法の施工における枠材や根太材の穴あけには、図５に示すような制限が存在する。枠材や根太材の幅５５をＤとした場合、
製材の幅側の両端５６の各５０ミリメートル部分は穴あけを行う事ができない。また、穴５７の直径は３分の１Ｄ以下でなければならない。連続した穴あけを行う場合、穴と穴との間隔５８はＤ以上あけなければならない。このような施行上の制限と、通気効率を考慮した場合、適切な通気穴５７の直径は２０ミリメートルから４０ミリメートル、通気穴の間隔５８は２００ミリメートルから４００ミリメートルが、ひとつの目安となる。
【００２９】
上枠１３、下枠１１、頭つなぎ１４、振れ止め１２、根太３１、根太補強材３３等の各枠材に通気穴をあけ、構造体を一連の通気構造にした事により、火災発生時における構造体としての防火、耐火性能の低下や、火災発生時における通気層を経由した構造体他所への炎や熱気、発生ガス等のまん延が懸念される。このような懸念への対策として、本体に中空構造と防火ダンパー機能を持たせた通気口金物２、３を併用する事が考えられる。図６は、上枠１３、下枠１１、頭つなぎ１４、振れ止め１２の各枠材に地面に対して垂直方向にあけた通気穴に設置する防火ダンパー機能を持たせた通気口金物３である。中空の金属筒状の本体上部に低融点の金属線６１を張り、この金属線６１により金属球６２を支持する。火災発生時においては、図７のように、ヒューズの作動のように低融点金属線６１が溶解、切断され、金属球が落下し、本体内側筒部６３と本体外側筒部６４、および金属球６２の口径差により本体内側筒部上部の蓋となる事で、火災発生時においての通気層を経由した構造体他所への炎や熱気、発生ガス等のまん延の防止、あるいは遅延を実現することが可能となる。また、通気口金具としての通気性能を維持しつつ、火災発生時においては速やかに防火ダンパー機能を発揮する必要があるため、低融点の金属線６１は、金属球６２が平常時、容易に落下せず、かつ、通気性能を維持できるような配置構成とすることが望ましい。また、この通気口金物を金属製にする事で、枠材の穴あけによる強度を補強する働きも考えられる。同時に、この通気口金物３の形状を工夫することで、壁断熱材２７を支持する金物を兼用することも可能である。
【００３０】
根太材部３１、３３にあけた通気穴に防火ダンパー機能付き通気口金具を設置することで、火災発生時における前述と同様の効果が期待できる。ただし、地面と垂直に通気穴をあける枠材１１、１２、１３、１４に設置した通気口金物が地面に対して垂直となる事に対し、根太部材３１、３３にあけた通気穴に設置した通気口金物は地面に対して水平となる。このため、単に３の通気口金具を用いた場合、金属球による防火ダンパー機能が十分に作用しない可能性が考えられる。
【００３１】
したがって、前述の根太部材３１、３３にあけた通気穴のような、地面に対し水平な通気穴に設置する通気口金具２は、図８のようなものになる。水平方向の本体内部筒部６３に対して、本体外部筒部６４に傾斜をもたせる。これにより、火災発生時において低融点金属線６１が溶解、切断され金属球が落下した場合、本体途中の屈折部分に金属球６２が蓋となり、火災発生時においての通気層を経由した構造体他所への炎や熱気、発生ガス等のまん延の防止、あるいは遅延を実現することが可能となる。同時に、この通気口金物２の形状を工夫することで、床断熱材２４を支持する金物を兼用することも可能である。
【００３２】
なお、棟合せ梁通気口４７に、こうした防火ダンパー機能を持たせることも可能である。この場合、棟合せ梁４７の棟合せ梁通気口４９は地面に対して垂直の通気口となるため、３のような防火ダンパー構造となる。ただし、棟合せ梁通気口４９の場合は、構造的に、防火ダンパー機能の目的が違ってくる。すなわち、この場合は、前述のような構造体他所への炎や熱気、発生ガス等のまん延の防止、あるいは遅延よりも、近隣の建造物や生活地域への発生ガス等のまん延の防止、あるいは遅延を目的としたものとなる。現実的に考えた場合、棟合せ梁通気口４９まで炎や熱気がたどり着いている場合、既に構造体自体が炎や熱気により大きく破壊あるいは損害を受けていることが考えられるため、防火ダンパー機能による炎や熱気のまん延の防止、あるいは遅延が、どこまで有力となるか、という問題が考えられるからである。したがって、この棟合せ梁通気口４９に防火ダンパー機能を持たせた場合、これは、主として火災発生時の初期から中期において、構造体内部で発生したガス等の近隣の建造物や生活地域への、まん延の防止、あるいは遅延を目的としたものとなる。
【００３３】
屋内に滞留する湿度を排出するため、自動開閉を調整する機能をもたせた換気窓９を設置することが考えられる。この自動制御の仕組みは図９のようになる。屋内側に内気温センサー７１と屋内湿度センサー７２、屋外側に外気温センサー７３と雨センサー７４を設置する。これらのセンサーから入力された気象情報をマイコン制御装置７５で自動計算処理し、その計算結果により、開閉駆動モーター７６を自動操作し、換気窓の自動開閉を制御する。この一連の制御により、屋内の調湿制御を行う。なお、気象情報の計算と換気窓の開閉制御にあたっては、雨センサーによる雨天情報や室内設定温度による開閉制御の設定も可能である。また、情報表示装置７７には、各センサーで測定した気象情報や、気象情報の計算結果による結露情報などを表示できるようにする。また、これらの情報を確認することで、手動による換気窓７８の開閉の遠隔操作を可能にしても良い。
【００３４】
【発明の効果】
以上のように、本発明による建築物の通気恒湿構造によれば、上述したように、構造体内の各部通気層によって構成される一連の内部通気構造と壁面からの吸排湿作用とにより通気を制御し、建物全体として所要の換気作用を奏させることが可能となる。これにより、屋内湿度を管理調整できるようになり、きわめて健康で良好な住環境の提供、ならびに、構造材として使用する木材等の蒸れや腐食、あるいは食害等を防止し、建築物の耐久性を向上させることが可能となる。
【図面の簡単な説明】
【図１】本発明に係る建築物の通気恒湿構造を適用した住宅の構成を示す断面図。
【図２】床下構造および１階壁面構造を示す断面図。
【図３】２階壁面構造と２階天井部構造および屋根軒裏部分構造を示す断面図。
【図４】屋根部分構造を示す断面図。
【図５】枠組壁工法の施工における根太材の穴あけの制限を示す図。
【図６】地面に対して垂直方向の通気穴に設置する防火ダンパー機能を持たせた通気口金物の構造を示す断面図。
【図７】図６で示した通気口金物が作動した時の構造を示す断面図。
【図８】地面に対して水平方向の通気穴に設置する防火ダンパー機能を持たせた通気口金具の構造を示す断面図。
【図９】自動開閉式換気窓を自動制御するための構成図。
【符号の説明】
１　温度計付き床下換気口
２　地面に対し水平方向にあけた通気穴に用いる防火ダンパー付き通気口金物
３　地面に対し垂直方向にあけた通気穴に用いる防火ダンパー付き通気口金物
５　床構面内部通気層
６　壁構面内部通気層
７　屋根構面内部通気層
９　自動開閉調整式排気窓
１１　下枠
１２　振れ止め
１３　上枠
１４　頭つなぎ
１５　通気道
１６　透湿性および耐火性に優れた内壁材
１７　透湿シート
１８　外壁板
１９　軒裏換気口
２０　防湿シート
２１　防湿コンクリート
２２　基礎断熱材
２３　下引
２４　床断熱材
２５　床下張り材透湿床下地板
２６　土台
２７　壁断熱材
２８　透湿タイプのクロス貼り
２９　空気取り入れ口
３１　床根太、または添え側根太
３２　２階床断熱材
３３　端根太補強材
４０　ラフター、屋根たる木
４１　コーキング
４２　軒天材
４３　ファイヤーストップ
４４　屋根材
４５　透湿防水紙
４６　屋根断熱材
４７　棟合せ梁
４８　透湿性機能を有する屋根下地材
４９　棟合せ梁通気口
５１　天井断熱材
５５　製材の幅Ｄ
５６　製材の幅側、穴あけのできない部分
５７　穴
５８　穴と穴の間隔
５９　穴あけのできない部分Ｄ
６１　低融点の金属線
６２　金属球
６３　本体内側筒部
６４　本体外側筒部
７１　内気温センサー
７２　屋内湿度センサー
７３　外気温センサー
７４　雨センサー
７５　マイコン制御装置
７６　開閉駆動モーター
７７　情報表示装置
７８　換気窓
【図１】
2004011281.tif 000003
【図２】
2004011281.tif 000004
【図３】
2004011281.tif 000005
【図４】
2004011281.tif 000006
【図５】
2004011281.tif 000007
【図６】
2004011281.tif 000008
【図７】
2004011281.tif 000009
【図８】
2004011281.tif 000010
【図９】
2004011281.tif 000011